(57)【要約】      （修正有）【課題】製造コストを低下させることができるイメージセンサーシステムを提供する。【解決手段】イメージセンサーシステム２００は、平面２１２及びこの平面にある区域２１４を具備するパネル２１０と、区域に接近するように前記平面の上に設置され、且つ検出する範囲が前記区域を含む第一イメージセンサー区域及び第二イメージセンサー区域を具備するイメージセンサーチップと、前記第一イメージセンサー区域及び第二イメージセンサー区域に電気接続される処理ユニットと、から構成されるイメージセンサーモジュール２２０と、を含む。手などのポインター２７０を前記区域に接近させる場合、即ち前記ポインターが前記第一イメージセンサー区域と前記第二イメージセンサー区域の検出範囲に入る場合、前記第一イメージセンサー区域及び第二イメージセンサー区域が前記ポインターの存在を検出し、前記処理ユニットが前記ポインターの位置を判断する。【選択図】図２
2010044761.tif 000002
【特許請求の範囲】
【請求項１】
ポインターを検出する一方ポインターの位置を検出するイメージセンサーシステムにおいて、
平面及びこの平面にある区域を具備するパネルと、
区域に接近するように前記平面の上に設置され、且つ検出する範囲が前記区域を含む第一イメージセンサー区域及び第二イメージセンサー区域を具備するイメージセンサーチップと、前記第一イメージセンサー区域及び第二イメージセンサー区域に電気接続される処理ユニットと、から構成されるイメージセンサーモジュールと、を含み、
手などのポインターを前記区域に接近させる場合、即ち前記ポインターが前記第一イメージセンサー区域と前記第二イメージセンサー区域の検出範囲に入る場合、前記第一イメージセンサー区域及び第二イメージセンサー区域が前記ポインターの存在を検出し、前記処理ユニットが前記ポインターの位置を判断することを特徴とするイメージセンサーシステム。
【請求項２】
前記イメージセンサーチップは、基板と、前記基板の上に設置され、且つ一部分により第一イメージセンサー区域が構成され、他の部分により第二イメージセンサー区域が構成されるイメージセンサーマトリックスと、を含むことを特徴とする請求項１に記載のイメージセンサーシステム。
【請求項３】
前記処理ユニットは、前記イメージセンサーマトリックスの傍に位置するように前記基板の上に設置されていることを特徴とする請求項２に記載のイメージセンサーシステム。
【請求項４】
前記イメージセンサーチップは、基板と、前記基板の上に設置され、且つ一部分により第一イメージセンサー区域が構成され第一イメージセンサーマトリックスと、前記第一イメージセンサーマトリックスの接近するように前記基板の上に設置され、且つ一部分により第二イメージセンサー区域が構成され第二イメージセンサーマトリックスと、を含むことを特徴とする請求項１に記載のイメージセンサーシステム。
【請求項５】
前記処理ユニットは、前記第一イメージセンサーマトリックスと第二イメージセンサーマトリックスの傍に位置するように前記基板の上に設置されていることを特徴とする請求項４に記載のイメージセンサーシステム。
【請求項６】
前記イメージセンサーモジュールは、前記第一イメージセンサー区域と第二イメージセンサー区域が露出するように前記イメージセンサーチップの上に設置されているカバーと、前記第一イメージセンサー区域及び第二イメージセンサー区域に対応するように前期カバーの内部に設置される導光部品と、を含むことを特徴とする請求項１に記載のイメージセンサーシステム。
【請求項７】
前記導光部品は、前記第一イメージセンサー区域に対応する第一導光部と、前記第二イメージセンサー区域に対応する第二導光部と、を含むことを特徴とする請求項６に記載のイメージセンサーシステム。
【請求項８】
前記導光部品は、前記第一イメージセンサー区域に対応する第一導光部と、前記第二イメージセンサー区域に対応する第二導光部と、を含み、
前記第一導光部は、１つの面が表面であり他の面が凸形である第一凸形レンズと、断面が直角三角形である第一三角形レンズと、断面が矩形である第一矩形レンズと、第二三角形レンズと、第二凸形レンズと、を具備し、前記第一凸形レンズと前記第一矩形レンズは、前記第一三角形レンズの両側に設置され、前記第一矩形レンズと前記第二凸形レンズは、前記第二三角形レンズの両側に設置され、
前記第二導光部は、１つの面が表面であり他の面が凸形である第三凸形レンズと、断面が直角三角形である第三三角形レンズと、断面が矩形である第二矩形レンズと、第四三角形レンズと、第四凸形レンズと、を含み、前記第三凸形レンズと前記第二矩形レンズは、前記第三三角形レンズの両側に設置され、前記第二矩形レンズと前記第四凸形レンズは、前記第四三角形レンズの両側に設置されていることを特徴とする請求項６に記載のイメージセンサーシステム。
【請求項９】
第一イメージセンサー区域及び第二イメージセンサー区域を具備するイメージセンサーチップと、
前記第一イメージセンサー区域及び第二イメージセンサー区域に電気接続される処理ユニットと、を含むことを特徴とするイメージセンサーモジュール。
【請求項１０】
前記イメージセンサーチップは、基板と、前記基板の上に設置され、且つ一部分により第一イメージセンサー区域が構成され、他の部分により第二イメージセンサー区域が構成されるイメージセンサーマトリックスと、を含むことを特徴とする請求項９に記載のイメージセンサーモジュール。
【請求項１１】
前記処理ユニットは、前記イメージセンサーマトリックスの傍に位置するように前記基板の上に設置されていることを特徴とする請求項１０に記載のイメージセンサーモジュール。
【請求項１２】
前記イメージセンサーチップは、基板と、前記基板の上に設置され、且つ一部分により第一イメージセンサー区域が構成され第一イメージセンサーマトリックスと、前記第一イメージセンサーマトリックスの接近するように前記基板の上に設置され、且つ一部分により第二イメージセンサー区域が構成され第二イメージセンサーマトリックスと、を含むことを特徴とする請求項９に記載のイメージセンサーモジュール。
【請求項１３】
前記処理ユニットは、前記第一イメージセンサーマトリックスと第二イメージセンサーマトリックスの傍に位置するように前記基板の上に設置されていることを特徴とする請求項１２に記載のイメージセンサーモジュール。
【請求項１４】
前記イメージセンサーモジュールは、前記第一イメージセンサー区域と第二イメージセンサー区域が露出するように前記イメージセンサーチップの上に設置されているカバーと、前記第一イメージセンサー区域及び第二イメージセンサー区域に対応するように前期カバーの内部に設置される導光部品と、を含むことを特徴とする請求項９に記載のイメージセンサーモジュール。
【請求項１５】
前記導光部品は、前記第一イメージセンサー区域に対応する第一導光部と、前記第二イメージセンサー区域に対応する第二導光部と、を含むことを特徴とする請求項１４に記載のイメージセンサーモジュール。
【請求項１６】
前記導光部品は、前記第一イメージセンサー区域に対応する第一導光部と、前記第二イメージセンサー区域に対応する第二導光部と、を含み、
前記第一導光部は、１つの面が表面であり他の面が凸形である第一凸形レンズと、断面が直角三角形である第一三角形レンズと、断面が矩形である第一矩形レンズと、第二三角形レンズと、第二凸形レンズと、を具備し、前記第一凸形レンズと前記第一矩形レンズは、前記第一三角形レンズの両側に設置され、前記第一矩形レンズと前記第二凸形レンズは、前記第二三角形レンズの両側に設置され、
前記第二導光部は、１つの面が表面であり他の面が凸形である第三凸形レンズと、断面が直角三角形である第三三角形レンズと、断面が矩形である第二矩形レンズと、第四三角形レンズと、第四凸形レンズと、を含み、前記第三凸形レンズと前記第二矩形レンズは、前記第三三角形レンズの両側に設置され、前記第二矩形レンズと前記第四凸形レンズは、前記第四三角形レンズの両側に設置されていることを特徴とする請求項１４に記載のイメージセンサーモジュール。
【発明の詳細な説明】
【技術分野】
【０００１】
本発明は、センサーモジュール（ｓｅｎｓｉｎｇ  ｍｏｄｕｌｅ）及びセンサーシステム（ｓｅｎｓｉｎｇ  ｓｙｓｔｅｍ）に関し、特にイメージセンサーモジュール（ｉｍａｇｅ−ｓｅｎｓｉｎｇ  ｍｏｄｕｌｅ）及びイメージセンサー（ｉｍａｇｅ−ｓｅｎｓｉｎｇ  ｍｏｄｕｌｅ）に関する。
【背景技術】
【０００２】
タッチシステム（ｔｏｕｃｈ  ｓｙｓｔｅｍ）に関する特許技術が多く公開されている。例えば、アメリカ特許４，７８２，３２８及び６，８０３，９０６などがある。特許４，７８２，３２８及び６，８０３，９０６の明細書に公開されるタッチシステムには、少なくとも２つのセンサーが設置されている。前記タッチシステムに２つのセンサーが設置されているので、タッチシステムの製造コストが高くなる。以下、２つの特許の中の１つの内容に対して説明する。
【０００３】
図１は、従来のタッチ式ディスプレイシステムを示す図である。アメリカ特許４，７８２，３２８に記載されるタッチ式ディスプレイシステム（ｔｏｕｃｈ  ｓｃｒｅｅｎ  ｓｙｓｔｅｍ）１００は、パネル（ｐａｎｅｌ）１１０と、第一光学センサー１２０（ｐｈｏｔｏｓｅｎｓｏｒ）と、第二光学センサー１３０と、処理装置（ｐｒｏｃｅｓｓｏｒ）１４０と、を含む。前記パネル１１０は、外形が矩形であるタッチ式ディスプレイ区域１１２を具備する。前記第一光学センサー１２０と第二光学センサー１３０は、前記タッチ式ディスプレイ区域１１２の１つの辺（ｂｏｕｎｄａｒｙ）１１２ａの両端にそれぞれ設置され、前記処理装置１４０に電気接続されている。手などのポインター（ｐｏｉｎｔｅｒ）１５０で、前記タッチ式ディスプレイ区域１１２を触る場合、前記第一光学センサー１２０及び第二光学センサー１３０は別々に第一検出線（ｓｅｎｓｉｎｇ  ｌｉｎｅ）１１６及び第二検出線１６４に沿って前記ポインター１５０を検出する。前記処理装置１４０は、前記第一検出線１１６及び第二検出線１６４により前記ポインター１５０の位置を検出する。
【０００４】
しかし、上述したタッチ式ディスプレイシステム１００は、２つの光学センサー、即ち第一光学センサー１２０と第二光学センサー１３０を含むのでタッチ式ディスプレイシステム１００の製造コストが高くなる。
【０００５】
本発明の主な目的は、イメージセンサーシステムに適用し、イメージセンサーシステムの製造コストを低下させることができるイメージセンサーモジュールを提供することにある。
【発明の概要】
【課題を解決するための手段】
【０００６】
上記課題を解決するために本発明では、ポインターを検出する一方ポインターの位置を検出するイメージセンサーシステムを提供する。前記イメージセンサーシステムは、平面及びこの平面にある区域を具備するパネルと、区域に接近するように前記平面の上に設置され、且つ検出する範囲が前記区域を含む第一イメージセンサー区域及び第二イメージセンサー区域を具備するイメージセンサーチップと、前記第一イメージセンサー区域及び第二イメージセンサー区域に電気接続される処理ユニットと、から構成されるイメージセンサーモジュールと、を含む。手などのポインターを前記区域に接近させる場合、即ち前記ポインターが前記第一イメージセンサー区域と前記第二イメージセンサー区域の検出範囲に入る場合、前記第一イメージセンサー区域及び第二イメージセンサー区域が前記ポインターの存在を検出し、前記処理ユニットが前記ポインターの位置を判断する。
【０００７】
前記イメージセンサーシステムで、前記イメージセンサーチップは、基板と、前記基板の上に設置され、且つ一部分により第一イメージセンサー区域が構成され、他の部分により第二イメージセンサー区域が構成されるイメージセンサーマトリックスと、を含む。
【０００８】
前記イメージセンサーシステムで、前記処理ユニットは、前記イメージセンサーマトリックスの傍に位置するように前記基板の上に設置されている。
【０００９】
前記イメージセンサーシステムで、前記イメージセンサーチップは、基板と、前記基板の上に設置され、且つ一部分により第一イメージセンサー区域が構成され第一イメージセンサーマトリックスと、前記第一イメージセンサーマトリックスの接近するように前記基板の上に設置され、且つ一部分により第二イメージセンサー区域が構成され第二イメージセンサーマトリックスと、を含む。
【００１０】
前記イメージセンサーシステムで、前記処理ユニットは、前記第一イメージセンサーマトリックスと第二イメージセンサーマトリックスの傍に位置するように前記基板の上に設置されている。
【００１１】
前記イメージセンサーシステムで、前記イメージセンサーモジュールは、前記第一イメージセンサー区域と第二イメージセンサー区域が露出するように前記イメージセンサーチップの上に設置されているカバーと、前記第一イメージセンサー区域及び第二イメージセンサー区域に対応するように前期カバーの内部に設置される導光部品と、を含む。
【００１２】
前記イメージセンサーシステムで、前記導光部品は、前記第一イメージセンサー区域に対応する第一導光部と、前記第二イメージセンサー区域に対応する第二導光部と、を含む。
【００１３】
前記イメージセンサーシステムで、前記導光部品は、前記第一イメージセンサー区域に対応する第一導光部と、前記第二イメージセンサー区域に対応する第二導光部と、を含む。前記第一導光部は、１つの面が表面であり他の面が凸形である第一凸形レンズと、断面が直角三角形である第一三角形レンズと、断面が矩形である第一矩形レンズと、第二三角形レンズと、第二凸形レンズと、を具備し、前記第一凸形レンズと前記第一矩形レンズは、前記第一三角形レンズの両側に設置され、前記第一矩形レンズと前記第二凸形レンズは、前記第二三角形レンズの両側に設置されている。前記第二導光部は、１つの面が表面であり他の面が凸形である第三凸形レンズと、断面が直角三角形である第三三角形レンズと、断面が矩形である第二矩形レンズと、第四三角形レンズと、第四凸形レンズと、を含み、前記第三凸形レンズと前記第二矩形レンズは、前記第三三角形レンズの両側に設置され、前記第二矩形レンズと前記第四凸形レンズは、前記第四三角形レンズの両側に設置されている。
【発明の効果】
【００１４】
上述したように、前記イメージセンサーモジュールのイメージセンサーチップに第一イメージ検出区域と第二イメージ検出区域が形成されているので、前記処理ユニットが前記ポインターの位置を判断することができる。本発明のイメージセンサーシステムは、１つのイメージセンサーチップを具備するイメージセンサーモジュールを使うので、イメージセンサーシステムの製造コストを低下させることができる。
【図面の簡単な説明】
【００１５】
【図１】従来のタッチ式ディスプレイシステムを示す図である。
【図２】本発明の第一実施形態に係るイメージセンサーシステムを示す斜視図である。
【図３】図２のイメージセンサーシステムを示す断面図である。
【図４】パネルの表面の上に設置される図２のイメージセンサーシステムを示す側面図である。
【図５】図３の処理ユニットがポインターの位置を検出することを説明する図である。
【図６】図４のイメージセンサーモジュールの検出過程を説明する図である。
【図７】本発明の第二実施形態に係るイメージセンサーモジュールを示す断面図である。
【図８】本発明の第三実施形態に係るイメージセンサーモジュールを示す断面図である。
【図９】図８のイメージセンサーモジュールの側面を示す図である。
【図１０】本発明の第四実施形態に係るイメージセンサーモジュールを示す断面図である。
【図１１】本発明の第五実施形態に係るイメージセンサーモジュールを示す断面図である。
【発明を実施するための形態】
【００１６】
図２は、本発明の第一実施形態に係るイメージセンサーシステムを示す斜視図であり、図３は、図２のイメージセンサーシステムを示す断面図であり、図４は、パネルの表面の上に設置される図２のイメージセンサーシステムを示す側面図である。説明を簡単にするために、図４で重要でない部品は示さなかった。図２〜図３に示されるイメージセンサーシステム２００は、ポインター２７０を検出するばかりでなく、ポインター２７０の位置を検出する場所に適用する。図２〜図３のイメージセンサーシステム２００は、パネル２１０とイメージセンサーモジュール２２０と、を含む。前記パネル２１０は、平面２１２とこの平面２１２の中にある区域２１４とを含む白色パネル（ｗｈｉｔｅｂｏａｒｄ）或いはタッチ式ディスプレイ（ｔｏｕｃｈ  ｓｃｒｅｅｎ）である。前記イメージセンサーモジュール２２０は、前記区域２１４に接近して設置されている。
【００１７】
前記イメージセンサーモジュール２２０は、イメージセンサーチップ２２２と、処理ユニット２２４と、導光部品２２６と、カバー２２８と、を含む。前記イメージセンサーチップ２２２は、シーモス式（ｃｏｍｐｌｅｍｅｎｔａｒｙ  ｍｅｔａｌ  ｏｘｉｄｅ  ｓｅｍｉｃｏｎｄｕｃｔｏｒ，ＣＭＯＳ）イメージセンサーチップ或いは電荷結合素子式イメージセンサーチップ（ｃｈａｒｇｅ  ｃｏｕｐｌｅｄ  ｄｅｖｉｃｅ，ＣＣＤ）である。前記イメージセンサーチップ２２２は、前記平面２１２の上に設置され、且つ第一イメージセンサー区域２２２ａと、第二イメージセンサー区域２２２ｂと、基板２２２ｃと、イメージセンサーマトリックス２２２ｄと、を含む。前記区域２１４は、前記第一イメージセンサー区域２２２ａの検出範囲と前記第二イメージセンサー区域２２２ｂの検出範囲の内に入っている。
【００１８】
前記イメージセンサーマトリックス２２２ｄは、前記基板２２２ｃの上に設置され、複数の画素（ｐｉｘｅｌ）Ｐを含む。前記イメージセンサーマトリックス２２２ｄの一部分により前記第一イメージセンサー区域２２２ａが構成され、イメージセンサーマトリックス２２２ｄの他の部分により前記第二イメージセンサー区域２２２ｂが構成される。即ち、前記画素Ｐの一部分により前記第一イメージセンサー区域２２２ａが構成され、画素Ｐの他の部分により前記第二イメージセンサー区域２２２ｂが構成される。本実施形態で、第一イメージセンサー区域２２２ａと第二イメージセンサー区域２２２ｂの外形とサイズが同じであるが、他の実施形態では、不同に設けてもいい。
【００１９】
前記カバー２２８は、前記第一イメージセンサー区域２２２ａと第二イメージセンサー区域２２２ｂが露出するように前記イメージセンサーチップ２２２の上に設置されている。前記導光部品２２６は、前記第一イメージセンサー区域２２２ａ及び第二イメージセンサー区域２２２ｂと向け合うように、前記カバー２２８に設置されている。本実施形態で、前記カバー２２８は、前記イメージセンサーチップ２２２の基板２２２ｃの上に設置され、１つの穴部２２８ａを具備する包装体である。
【００２０】
前記穴部２２８ａは、前記第一イメージセンサー区域２２２ａ及び第二イメージセンサー区域２２２ｂと相対するように前記カバー２２８に形成されている。前記導光部品２２６は、前記穴部２２８ａに設置されている。本実施形態の導光部品２２６は、両面が凸形である第一レンズ２２６ａと、両面が凸形である第二レンズ２２６ｂと、遮光部品２２６ｃと、を含む。前記第一レンズ２２６ａと前記第二レンズ２２６ｂは、一体に形成され、前記遮光部品２２６ｃは、前記第一レンズ２２６ａと前記第二レンズ２２６ｂとの間に形成されている。前記第一レンズ２２６ａは、前記第一イメージセンサー区域２２２ａに相対し、前記第二レンズ２２６ｂは、前記第二イメージセンサー区域２２２ｂに相対する。即ち、前記第一レンズ２２６ａの軸心と前記第一イメージセンサー区域２２２ａの軸心が重なり、前記第二レンズ２２６ｂの軸心と前記第二イメージセンサー区域２２２ｂの軸心が重なる。
【００２１】
他の実施形態で、１つの面が凸形であり、他の面が表面である第一レンズ２２６ａ或いは第二レンズ２２６ｂを使い（図面に示さない）、前記カバー２２８に、第一イメージセンサー区域２２２ａと相対する穴部２２８ａと、第二イメージセンサー区域２２２ｂと相対する穴部２２８ａと、を別々に形成することができる（図面に示さない）。又は、需要に従って、前記カバー２２８に複数の穴部２２８ａを形成することができる。
【００２２】
前記処理ユニット２２４は、前記第一イメージセンサー区域２２２ａと前記第二イメージセンサー区域２２２ｂに電気接続されている。前記処理ユニット２２４は、前記カバー２２８の内に装着され、且つ前記イメージセンサーマトリックス２２２ｄの傍に位置するように前記基板２２２ｃの上に設置されている。
【００２３】
以下、本発明のイメージセンサーシステム２００の作動方式に対して説明する。図５は、図３の処理ユニットがポインターの位置を検出することを説明する図であり、図６は、図４のイメージセンサーモジュールの検出過程を説明する図である。図２〜図６を参照しなさい。手などのポインター２７０が前記区域２１４に接近する場合（又は触る場合）、即ち前記ポインター２７０が前記第一イメージセンサー区域２２２ａと前記第二イメージセンサー区域２２２ｂの検出範囲に入る場合、第一イメージセンサー区域２２２ａと第二イメージセンサー区域２２２ｂは、前記ポインター２７０の存在を検出し、前記処理ユニット２２４は、前記ポインター２７０の位置を判断する。
【００２４】
上述したイメージセンサーシステム２００で、前記第一イメージセンサー区域２２２ａの軸心Ｌ１と前記第二イメージセンサー区域２２２ｂの軸心Ｌ２との間の距離を第一距離Ｄ１とする。前記軸心Ｌ１と軸心Ｌ２は、前記表面２１２に垂直する。前記第一イメージセンサー区域２２２ａの検出面Ｓ１は、前記第一レンズ２２６ａの焦点に置かれる。即ち、前記第一イメージセンサー区域２２２ａの検出面Ｓ１と前記第一レンズ２２６ａの軸心との間の第二距離Ｄ２と前記第一レンズ２２６ａの焦点が同じである。前記第二イメージセンサー区域２２２ｂの検出面Ｓ２は、前記第二レンズ２２６ｂの焦点に置かれる。即ち、前記第二イメージセンサー区域２２２ｂの検出面Ｓ２と前記第二レンズ２２６ｂの軸心との間の第三距離Ｄ３と前記第二レンズ２２６ｂの焦点が同じである。本実施形態で、前記第二距離Ｄ２と前記第三距離Ｄ３が同じである、即ち前記前記第一イメージセンサー区域２２２ａの検出面Ｓ１と前記第二イメージセンサー区域２２２ｂの検出面Ｓ２が重なる。
【００２５】
前記処理ユニット２２４には、前記第一距離Ｄ１と前記第二距離Ｄ２に関するデータが記録されている。１つの線に位置する前記第一イメージセンサー区域２２２ａの画素Ｐが前記ポインター２７０を検出して第一イメージＩ１を形成し、１つの線に位置する前記第二イメージセンサー区域２２２ｂの画素Ｐが前記ポインター２７０を検出して第二イメージＩ２を形成する場合、前記処理ユニット２２４は、前記軸心Ｌ１と前記第一イメージＩ１との間の第四距離Ｄ４と、前記軸心Ｌ２と前記第二イメージＩ２との間の第五距離Ｄ５と、を検出する。従って、前記処理ユニット２２４に記録される計算公式により、前記ポインター２７０と前記検出面Ｄ６との間の第六距離Ｄ６を検出することができる。前記第六距離Ｄ６は、前記表面２１２に平行する。前記第一距離Ｄ１と、第二距離Ｄ２と、第四距離Ｄ４と、第五距離Ｄ５と、第六距離Ｄ６は、以下の数学公式を満たす、
【数１】
2010044761.tif 000003
【００２６】
前記イメージセンサーモジュール２２０のイメージセンサーチップ２２２に第一イメージ検出区域２２２ａと第二イメージ検出区域２２２ｂが形成されているので、前記処理ユニット２２４が前記ポインター２７０の位置を判断することができる。本発明のイメージセンサーシステム２００は、１つのイメージセンサーチップ２２２を具備するイメージセンサーモジュール２２０を使うので、イメージセンサーシステム２００の製造コストを低下させることができる。
【００２７】
図７は、本発明の第二実施形態に係るイメージセンサーモジュールを示す断面図である。図７を参照すると、図７のイメージセンサーモジュール３２０と図２のイメージセンサーモジュール２２０が違うところは、図７の処理ユニット３２４がイメージセンサーチップ３２２の基板３２２ｃに形成されないことである。即ち、前記処理ユニット３２４がカバー３２８の外部に設置されている。
【００２８】
図８は、本発明の第三実施形態に係るイメージセンサーモジュールを示す断面図であり、図９は、図８のイメージセンサーモジュールの側面を示す図である。図９で、説明を簡単にするために、需要しない部品を示さなかった。図８のイメージセンサーモジュール４２０と図２のイメージセンサーモジュール２２０が違うところは、イメージセンサーモジュール４２０のイメージセンサーチップ４２２が第二イメージセンサーマトリクス４２２ｅを更に含むことである。第一イメージセンサーマトリクス４２２ｄは、前記基板４２２ｃの上に設置され、且つ前記第一イメージセンサーマトリクス４２２ｄの一部分により第一イメージ検出区域４２２ａが形成される。第二イメージセンサーマトリクス４２２ｅは、前記第一イメージセンサーマトリクス４２２ｄの傍に位置するように前記基板４２２ｃの上に設置され、且つ前記第二イメージセンサーマトリクス４２２ｅの一部分により第二イメージ検出区域４２２ｂが形成される。処理ユニット４２４は、第一イメージセンサーマトリクス４２２ｄと第二イメージセンサーマトリクス４２２ｅとの間に位置するように、前記基板４２２ｃの上に設置されている。
【００２９】
図１０は、本発明の第四実施形態に係るイメージセンサーモジュールを示す断面図である。図１０のイメージセンサーモジュール５２０と図８のイメージセンサーモジュール４２０が違うところは、図１０の処理ユニット５２４がイメージセンサーチップ５２２の基板５２２ｃに形成されないことである。即ち、前記処理ユニット５２４がカバー５２８の外部に設置されている。
【００３０】
図１１は、本発明の第五実施形態に係るイメージセンサーモジュールを示す断面図である。図１１のイメージセンサーモジュール６２０と図２のイメージセンサーモジュール２２０が違うところは、図１０の導光部品６２６が第一導光部６２６ａと第二導光部６２６ｂを含むことである。前記第一導光部６２６ａと第一イメージ検出区域６２２ａが相対し、第二導光部６２６ｂと第二イメージ検出区域６２２ｂが相対する。前記第一導光部６２６ａは、１つの面が表面であり他の面が凸形である第一凸形レンズＮ１と、断面が直角三角形である第一三角形レンズＭ１と、断面が矩形である第一矩形レンズＲ１と、第二三角形レンズＭ２と、第二凸形レンズＮ２と、を含む。前記第一凸形レンズＮ１と前記第一矩形レンズＲ１は、前記第一三角形レンズＭ１の両側に設置され、前記第一矩形レンズＲ１と前記第二凸形レンズＮ２は、前記第二三角形レンズＭ２の両側に設置されている。前記第二凸形レンズＮ２と前記第二三角形レンズＭ２は、第一イメージ検出区域６２２ａの上方に設置されている。
【００３１】
前記第二導光部６２６ｂは、１つの面が表面であり他の面が凸形である第三凸形レンズＮ３と、断面が直角三角形である第三三角形レンズＭ３と、断面が矩形である第二矩形レンズＲ２と、第四三角形レンズＭ４と、第四凸形レンズＮ４と、を含む。前記第三凸形レンズＮ３と前記第二矩形レンズＲ２は、前記第三三角形レンズＭ３の両側に設置され、前記第二矩形レンズＲ２と前記第四凸形レンズＮ４は、前記第四三角形レンズＭ４の両側に設置されている。前記第四凸形レンズＮ４と前記第四三角形レンズＭ４は、第二イメージ検出区域６２２ｂの上方に設置されている。本実施形態で、第一導光部６２６ａと第二導光部６２６ｂは相対するように一体に形成されている。他の実施形態で、第一導光部６２６ａと第二導光部６２６ｂを別々に製造した後、別々に所定に位置に固定させることができる。
【符号の説明】
【００３２】
２００  イメージセンサーシステム
２１０  パネル
２１２  平面
２１４  区域
２２０  イメージセンサーモジュール
２２２  イメージセンサーチップ
２２２ａ  第一イメージセンサー区域
２２２ｂ  第二イメージセンサー区域
２２２ｃ  基板
２２２ｄ  イメージセンサーマトリックス
２２４  処理ユニット
２２６  導光部品
２２６ａ  第一レンズ
２２６ｂ  第二レンズ
２２６ｃ  遮光部品
２２８  カバー
２２８ａ  穴部
２７０  ポインター
３２０  イメージセンサーモジュール
３２２  イメージセンサーチップ
３２２ｃ  基板
３２４  処理ユニット
３２８  カバー
４２０  イメージセンサーモジュール
４２２  イメージセンサーチップ
４２２ａ  第一イメージ検出区域
４２２ｃ  基板
４２２ｅ  第二イメージセンサーマトリクス
４２２ｄ  第一イメージセンサーマトリクス
５２０  イメージセンサーモジュール
５２２  イメージセンサーチップ
５２２ｃ  基板
５２４  処理ユニット
５２８  カバー
６２０  イメージセンサーモジュール
６２６  導光部品
６２６ａ  第一導光部
６２６ｂ  第二導光部
Ｎ１  第一凸形レンズ
Ｍ１  第一三角形レンズ
Ｒ１  第一矩形レンズ
Ｒ２  第二矩形レンズ
Ｍ２  第二三角形レンズ
Ｎ２第二凸形レンズ
Ｎ３  第三凸形レンズ
Ｍ３  第三三角形レンズ
Ｍ４  第四三角形レンズ
Ｎ４  第四凸形レンズ
【図１】
2010044761.tif 000004
【図２】
2010044761.tif 000005
【図３】
2010044761.tif 000006
【図４】
2010044761.tif 000007
【図５】
2010044761.tif 000008
【図６】
2010044761.tif 000009
【図７】
2010044761.tif 000010
【図８】
2010044761.tif 000011
【図９】
2010044761.tif 000012
【図１０】
2010044761.tif 000013
【図１１】
2010044761.tif 000014